(57)【要約】【課題】画像再生の際に認証処理を行う手間を簡易に省略可能であって、かつ、再生できる画像情報に適正に制限をかけることのできる画像再生装置及び画像再生方法を提供すること。【解決手段】画像再生装置１０は、制御部１１において、ＤＶＤ再生部２０に挿入されたＤＶＤ２０ｄの特定情報が許可情報に含まれていると判断された場合、認証処理を経ることなく画像再生処理を行うので、一旦許可されたＤＶＤの画像再生の際に認証処理を行う手間を簡易に省略できる。また、ＤＶＤ２０ｄの特定情報が許可情報に含まれていないと判断された場合、認証処理を行い、認証がなされなければ画像再生を禁止する処理を行うので、再生できる画像情報に関して適正に制限をかけることができる。【選択図】図１
2011159372.tif 000002
【特許請求の範囲】
【請求項１】
記録媒体に記録された画像情報を読み取って画像信号を出力する画像再生部と、
再生を許可する記録媒体を指定する許可情報を記憶する許可情報記憶部と、
前記画像再生部に挿入された記録媒体を特定する特定情報が、前記許可情報記憶部に記憶された前記許可情報に含まれているか否かを照合する情報照合部と、
前記情報照合部において、前記画像再生部に挿入された記録媒体の特定情報が前記許可情報に含まれていると判断された場合に、前記画像再生部に読み取らせた画像信号に基づいて画像再生処理を行う画像処理部と、
前記情報照合部において、前記画像再生部に挿入された記録媒体の特定情報が前記許可情報に含まれていないと判断された場合に、当該記録媒体の画像再生を許可するための認証の処理を行う認証処理部と、
前記認証処理部において認証がなされない場合に、前記画像処理部による画像再生処理を禁止する再生禁止部と、
前記認証処理部において、前記画像再生部に挿入された記録媒体の画像再生を許可した場合に、当該記録媒体の特定情報を許可情報の一部として前記許可情報記憶部に追加記憶させる許可情報編集処理部と、
を備える画像再生装置。
【請求項２】
前記認証処理部における認証のためのパスワードを記憶するパスワード記憶部をさらに備え、
前記認証処理部は、認証のために外部からキー入力された入力情報と、前記パスワード記憶部に記憶されている前記パスワードとを照合し、前記入力情報と前記パスワードとの一致が確認された場合に、前記画像再生部に挿入された記録媒体の画像再生を許可する処理を行う、請求項１に記載の画像再生装置。
【請求項３】
前記認証処理部は、管理者用の認証設定モードで動作可能であり、前記認証設定モードにおいて、前記パスワード記憶部に記憶されている前記パスワードの変更を可能とする、請求項２に記載の画像再生装置。
【請求項４】
前記認証処理部は、一般監督者用の画像再生を許可するための認証の処理と、特別監督者用の画像再生を許可するための認証の処理との２段階の認証処理を行うとともに、前記認証設定モードにおいて、前記管理者としての前記特別監督者により、前記一般監督者によって画像再生を許可された許可情報についての監視修正を行うことを可能とする、請求項３に記載の画像再生装置。
【請求項５】
前記画像再生部からの画像信号に基づく画像を投射する映像投射部をさらに備える、請求項１から請求項４までのいずれか一項に記載の画像再生装置。
【請求項６】
前記許可情報記憶部に記憶された前記許可情報を、他の画像再生装置との間で送受信可能にする通信部をさらに備える、請求項１から請求項５までのいずれか一項に記載の画像再生装置。
【請求項７】
記録媒体に記録された画像情報を読み取って画像信号を出力する画像再生部を備える画像再生装置による画像再生方法であって、
再生を許可する記録媒体を指定する許可情報を記憶する許可情報記憶工程と、
前記画像再生部に挿入された記録媒体を特定する特定情報が、前記許可情報記憶工程において記憶された前記許可情報に含まれているか否かを照合する情報照合工程と、
前記情報照合工程において、前記画像再生部に挿入された記録媒体の特定情報が前記許可情報に含まれていると判断された場合に、前記画像再生部に読み取らせた画像信号に基づいて画像再生処理を行う画像処理工程と、
前記情報照合工程において、前記画像再生部に挿入された記録媒体の特定情報が前記許可情報に含まれていないと判断された場合に、当該記録媒体の画像再生を許可するための認証の処理を行う認証処理工程と、
前記認証処理工程において認証がなされない場合に、前記画像処理部による画像再生処理を禁止する再生禁止工程と、
前記認証処理工程において、前記画像再生部に挿入された記録媒体の画像再生を許可した場合に、当該記録媒体の特定情報を許可情報の一部として前記許可情報記憶工程において追加記憶させる許可情報編集処理工程と、
を備える画像再生方法。
【発明の詳細な説明】
【技術分野】
【０００１】
本発明は、情報媒体から読み出した情報に基づいて画像再生を行う画像再生装置及び画像再生方法に関する。
【背景技術】
【０００２】
画像再生装置である投射装置として、電源投入の際に、認証処理を行うことでセキュリティを高めるものが知られている（特許文献１参照）。
【０００３】
また、映像情報再生装置として、所定の認証を行わないと映像再生ができないようにするものが知られている（特許文献２参照）。
【０００４】
また、類似する別の技術として、ＤＶＤオーディオ再生装置であって、予めインターネット等を介して入手したＩＤを登録しておき、当該ＩＤとＤＶＤオーディオソフト中のデータを読み出すためのＩＤとを照合して、ＤＶＤ中の隠しデータを読み出したり、ＤＶＤ中に多数収録されている曲の選択を行ったりするものが知られている（特許文献３参照）。
【先行技術文献】
【特許文献】
【０００５】
【特許文献１】特開２００５−３３８６０４号公報
【特許文献２】特開２００９−１１８０７８号公報
【特許文献３】特開２００１−１４３３８７号公報
【発明の概要】
【発明が解決しようとする課題】
【０００６】
しかし、特許文献１の投射装置では、画像再生の前の電源投入の際に認証処理を行う必要があるため操作が煩雑になり、また、再生できる画像情報に制限をかけるには別途制御を行う必要がある。また、特許文献２の映像情報再生装置では、常日頃から再生させている画像を映し出す場合であっても、その都度パスワードの入力といった認証処理を行ってからでないと再生ができないことになり、この場合も、操作が煩雑になる。また、特許文献３のＤＶＤオーディオ再生装置では、予めインターネット等を介して入手したＩＤを登録しておく、といった準備等が必要になり、事前の作業が煩雑になるだけでなく、視聴できるＤＶＤを目的に適合した所望の範囲に制限することができない。
【０００７】
そこで、本発明は、画像再生の際に認証処理を行う手間を簡易に省略可能であって、かつ、再生できる画像情報に適正に制限をかけることのできる画像再生装置及び画像再生方法を提供することを目的とする。
【課題を解決するための手段】
【０００８】
上記課題を解決するため、本発明に係る画像再生装置は、記録媒体に記録された画像情報を読み取って画像信号を出力する画像再生部と、再生を許可する記録媒体を指定する許可情報を記憶する許可情報記憶部と、画像再生部に挿入された記録媒体を特定する特定情報が、許可情報記憶部に記憶された許可情報に含まれているか否かを照合する情報照合部と、情報照合部において、画像再生部に挿入された記録媒体の特定情報が許可情報に含まれていると判断された場合に、画像再生部に読み取らせた画像信号に基づいて画像再生処理を行う画像処理部と、情報照合部において、画像再生部に挿入された記録媒体の特定情報が許可情報に含まれていないと判断された場合に、当該記録媒体の画像再生を許可するための認証の処理を行う認証処理部と、認証処理部において認証がなされない場合に、画像処理部による画像再生処理を禁止する再生禁止部と、認証処理部において、画像再生部に挿入された記録媒体の画像再生を許可した場合に、当該記録媒体の特定情報を許可情報の一部として許可情報記憶部に追加記憶させる許可情報編集処理部と、を備える。なお、画像再生部は、記録媒体に記録された情報のうち、上記特定情報について、画像情報に先立って読み取りを行う。
【０００９】
上記画像再生装置によれば、情報照合部において、画像再生部に挿入された記録媒体の特定情報が許可情報に含まれていると判断された場合には、認証処理部による認証の処理を経ることなく画像処理部によって画像再生処理を行うことができるので、一旦許可された記録媒体の画像再生の際に認証処理を行う手間を簡易に省略できる。また、情報照合部において、画像再生部に挿入された記録媒体の特定情報が許可情報に含まれていないと判断された場合には、認証処理部において認証処理を行い、認証がなされなければ再生禁止部により記録媒体についての画像再生を禁止する処理を行うので、再生できる画像情報に関して適正に制限をかけることができる。なお、再生禁止部での画像再生処理を禁止する方法については、種々のものが可能であり、例えば画像再生部において画像記録情報の読み取り動作を停止させることも含まれる。さらに、この場合、再生を許可する画像記録媒体の情報を簡易に逐次蓄積して増やしていくことができ、以後の再生動作をより迅速なものとすることができる。
【００１０】
本発明の具体的な側面では、画像再生装置が、認証処理部における認証のためのパスワードを記憶するパスワード記憶部をさらに備え、認証処理部が、認証のために外部からキー入力された入力情報と、パスワード記憶部に記憶されているパスワードとを照合し、入力情報とパスワードとの一致が確認された場合に、画像再生部に挿入された記録媒体の画像再生を許可する処理を行う。この場合、パスワード記憶部に記憶されたパスワードに基づいて画像再生の許可を迅速に判断できる。
【００１１】
本発明のさらに別の側面では、認証処理部が、管理者用の認証設定モードで動作可能であり、認証設定モードにおいて、パスワード記憶部に記憶されているパスワードの変更を可能とする。この場合、管理者によって認証処理のための情報を的確に管理することができる。
【００１２】
本発明のさらに別の側面では、認証処理部が、一般監督者用の画像再生を許可するための認証の処理と、特別監督者用の画像再生を許可するための認証の処理との２段階の認証処理を行うとともに、認証設定モードにおいて、管理者としての特別監督者により、一般監督者によって画像再生を許可された許可情報についての監視修正を行うことを可能とする。この場合、一般ユーザーに許可される再生許可範囲とは別に特別な者のみに制限された再生許可範囲を設定できるとともに、特別監督者によって一般ユーザーに許可される再生許可範囲を適正に管理することができる。
【００１３】
本発明のさらに別の側面では、画像再生装置が、画像再生部からの画像信号に基づく画像を投射する映像投射部をさらに備える。この場合、画像再生装置は、プロジェクターであり、映像投射部により大画面の投影を行うことができる。
【００１４】
本発明のさらに別の側面では、画像再生装置が、許可情報記憶部に記憶された許可情報を、他の画像再生装置との間で送受信可能にする通信部をさらに備える。この場合、一の画像再生装置において蓄積された記録媒体の情報を他の画像再生装置と共有することができる。
【００１５】
本発明に係る画像再生射方法は、記録媒体に記録された画像情報を読み取って画像信号を出力する画像再生部を備える画像再生装置による画像再生方法であって、再生を許可する記録媒体を指定する許可情報を記憶する許可情報記憶工程と、画像再生部に挿入された記録媒体を特定する特定情報が、許可情報記憶工程において記憶された許可情報に含まれているか否かを照合する情報照合工程と、情報照合工程において、画像再生部に挿入された記録媒体の特定情報が許可情報に含まれていると判断された場合に、画像再生部からの画像信号に基づいて画像再生処理を行う画像処理工程と、情報照合工程において、画像再生部に挿入された記録媒体の特定情報が許可情報に含まれていないと判断された場合に、当該記録媒体の画像再生を許可するための認証の処理を行う認証処理工程と、認証処理工程において認証がなされない場合に、画像処理部による画像再生処理を禁止する再生禁止工程と、認証処理工程において、画像再生部に挿入された記録媒体の画像再生を許可した場合に、当該記録媒体の特定情報を許可情報の一部として許可情報記憶工程において追加記憶させる許可情報編集処理工程と、を備える。
【００１６】
上記画像再生方法によれば、情報照合工程において、画像再生部に挿入された記録媒体の特定情報が許可情報に含まれていると判断された場合には、認証処理工程による認証の処理を経ることなく画像処理工程において画像再生処理を行うことができるので、一旦許可された記録媒体の画像再生の際に認証処理を行う手間を簡易に省略できる。また、情報照合工程において、画像再生部に挿入された記録媒体の特定情報が許可情報に含まれていないと判断された場合には、認証処理工程において認証処理を行い、認証がなされなければ再生禁止工程において記録媒体についての画像再生を禁止する処理を行うので、再生できる画像情報に関して適正に制限をかけることができる。さらに、この場合、再生を許可する画像記録媒体の情報を簡易に逐次蓄積して増やしていくことができ、以後の再生動作をより迅速なものとすることができる。
【図面の簡単な説明】
【００１７】
【図１】第１実施形態の画像再生装置の構造を示すブロック図である。
【図２】キー操作部を構成するキー要素を例示する図である。
【図３】画像再生装置による再生動作の一例を説明するフローチャート図である。
【図４】（Ａ）〜（Ｄ）は、認証の処理を行うためのパスワードの入力に関する表示画面の例である。
【図５】管理者用の認証設定モード動作の一例を説明するフローチャート図である。
【図６】（Ａ）〜（Ｈ）は、管理者用の認証設定モードでのメニューに関する表示画面の例である。
【図７】画像再生装置による再生動作の変形例を説明するフローチャート図である。
【図８】（Ａ）〜（Ｄ）は、記録媒体の特定情報を追加記憶させる処理に関する表示画面の例である。
【図９】第２実施形態の画像再生装置の再生動作を説明するフローチャート図である。
【図１０】（Ａ）、（Ｂ）は、認証の処理を行うためのパスワードの入力及び付加情報の入力に関する表示画面の例である。
【図１１】（Ａ）、（Ｂ）は、管理者用の認証設定モード動作を説明するための表示画面の例である。
【図１２】（Ａ）、（Ｂ）は、第３実施形態の画像再生装置について説明するための管理者用の認証設定モード動作の表示画面の例である。（Ｃ）、（Ｄ）は、登録内容を示すリストの例である。（Ｅ）は、特別パスワードの入力に関する表示画面の例である。
【図１３】画像再生装置の再生動作を説明するフローチャート図である。
【図１４】画像再生装置の再生動作を説明するフローチャート図である。
【図１５】特定管理者用の認証設定モードでのメニューに関する表示画面の例である。
【図１６】画像再生装置間での送受信について説明するための模式的な図である。
【発明を実施するための形態】
【００１８】
〔第１実施形態〕
以下、図面を参照して、本発明の一実施形態に係る画像再生装置について詳細に説明する。
【００１９】
〔Ａ．画像再生装置の構造〕
図１に示すように、画像再生装置１０は、プロジェクターであり、その本体１０ａとして、制御部１１と、記憶部１２と、キー入力処理部１３と、入力選択部１４と、画像処理部１５と、映像投射部１７と、通信部１８と、映像出力部１９と、ＤＶＤ再生部２０と、電源部２２とを備えている。
【００２０】
制御部１１は、画像再生装置１０の全体的な動作を制御している。つまり、制御部１１は、記憶部１２、キー入力処理部１３、入力選択部１４、画像処理部１５、ＤＶＤ再生部２０、電源部２２等と通信可能に接続されており、これらの部分から情報を取り込み、或いはこれらの部分に制御信号等を送って動作状態を制御している。制御部１１は、具体的には、情報照合部であるＤＶＤ識別情報照合部１１ａ、認証処理部１１ｂ、パスワード照合部１１ｃ、許可情報編集処理部であるＤＶＤ情報編集処理部１１ｄ、再生禁止部であるＤＶＤ再生禁止部１１ｅ等として機能し、画像再生の動作を行うべきか否かの判断等を行う。これらの機能の詳細については、後述する。
【００２１】
記憶部１２は、画像再生装置１０を動作させるために必要なプログラム、データ等を保持する。特に、記憶部１２は、ＤＶＤ情報保存部１２ａにおいて、ＤＶＤ再生部２０で再生可能な記録媒体としてのＤＶＤを識別する情報を記憶する。ＤＶＤ情報保存部１２ａは、ＤＶＤ２０ｄを再生可能にするか否かの範囲を定める許可情報に相当する再生許可リスト等を記憶するＤＶＤ識別情報記憶部１２ｂと、ＤＶＤに関する各種情報の認証等を行うためのパスワードを記憶するパスワード記憶部１２ｃとを有する。つまり、ＤＶＤ識別情報記憶部１２ｂは、許可情報を記憶する許可情報記憶部として機能する。また、記憶部１２は、画像再生装置１０が保有し或いは画像再生装置１０で編集された画像データを保管することができ、入力選択部１４等を介して外部から取り込んだ画像データ又は画像信号を保存することもできる。
【００２２】
キー入力処理部１３は、ユーザーの指示を入力するための入力部であり、一組の操作キーを含むキー操作部２８を有しており、ＵＩとしてのディスプレイを付随させることもできる。キー入力処理部１３に付随してリモコン受光部２５が設けられており、リモコン２６から無線で遠隔的に指令信号を受け取ることができるようになっている。なお、キー操作部２８には、図２に例示するように、パワーボタン２８ａ、メニューボタン２８ｂ、エスケープボタン２８ｃ、４つの方向を示す三角ボタン２９ａ，２９ｂ，２９ｃ，２９ｄ、確定ボタン２９ｅ、１２個の記号入力ボタン２９ｆ等が、一組の操作キーとして適当な配列で設けられている。これらのボタン２８ａ，２８ｂ，２８ｃ，２９ａ，２９ｂ，２９ｃ，２９ｄ，２９ｅ，２９ｆ、すなわち一組の操作キーは、キー操作部２８だけでなくリモコン２６にも設けることができ、その場合、キー操作部２８に設ける操作キー又はボタンの数を減らすこともできる。
【００２３】
ＤＶＤ再生部２０は、データ読取部２０ａと、信号処理部２０ｂと、ＤＶＤ取込排出機構２０ｃとを有する画像再生部である。ＤＶＤ再生部２０は、記録媒体（画像記録媒体）であるＤＶＤ２０ｄに記録された情報を読み取って、この情報に基づく画像信号を出力する画像再生部に相当するものである。データ読取部２０ａは、制御部１１の指示に基づいて、挿入されたＤＶＤ２０ｄに記録されている情報を順次読み取り、読み取った情報を制御部１１に通知する。データ読取部２０ａによって読み取られた情報は、信号処理部２０ｂに順次出力される。信号処理部２０ｂは、制御部１１の指示に基づいて、データ読取部２０ａから入力される情報を画像信号と音声信号とに分離する処理や、分離した画像信号や音声信号をデコード（復号化）する処理等を行う。信号処理部２０ｂは、復号化された画像信号を後述する入力選択部１４に出力し、復号化された音声信号を音声出力部２１に出力する。ＤＶＤ取込排出機構２０ｃは、制御部１１の指示に基づいて、挿入されたＤＶＤ２０ｄを画像再生装置１０外部へ排出する。
【００２４】
入力選択部１４は、コネクター４１に接続される不図示のコンピューターその他の画像出力装置（不図示）のいずれから画像信号を受け取るかを選択するためのものであり、キー入力処理部１３での入力操作により、入力される画像信号を切り替えることができる。
【００２５】
画像処理部１５は、ＤＶＤ再生部２０等で読み取られた画像信号又は画像データに対して、あるいは入力選択部１４を介して外部から入力された画像信号等に対して、制御部１１の指令に基づいて、色補正、シフト補正、倍率補正、歪補正等を含む各種補正を行うことができる。また、画像処理部１５は、制御部１１の指令に基づいて、入力された画像信号等に代えて或いは重畳して文字情報、データ情報等を表示する画像信号を、記憶部１２から取り出した画像データから生成することができる。
【００２６】
映像投射部１７は、画像処理部１５から出力された画像処理後の画像信号に基づいてＲＧＢの各色用の液晶パネルを駆動する液晶パネル駆動部１７ａを有する。具体的な説明は省略するが、映像投射部１７は、光学系として、例えば照明装置、各色用の液晶パネル、合成プリズム、投射レンズ等を備えており、液晶パネルからなる各色用の液晶ライトバルブを透過した光を合成して投射することで、カラー画像をスクリーン上等に表示する。つまり、画像再生装置１０は、ＤＶＤ再生部２０と映像投射部１７とを備えることで、ＤＶＤ一体型のプロジェクターとなっている。なお、映像投射部１７の光学系は、液晶方式に限らず、デジタル・マイクロミラー・デバイス方式、ＬＣＯＳ方式、ＧＬＶ方式、ＣＲＴ方式など、種々の方式を用いたものとできる。
【００２７】
通信部１８は、通信を可能にするインターフェイス回路である。なお、通信部１８は、例えば無線ＬＡＮのアドホックモードによる通信を可能にする無線型のインターフェイス回路とすることがき、この場合、コンピューターその他のネットワーク接続型装置との間でピアツーピア接続を行うことができる。さらに、通信部１８は、有線ＬＡＮ等に接続する有線型のインターフェイス回路とすることもできる。
【００２８】
映像出力部１９は、画像再生装置１０で作成された画像データを他の画像再生装置やプロジェクター等との間で共有するためのものであり、コネクター４２を介して他のプロジェクターと直接又は間接的に接続することができる。
【００２９】
なお、電源部２２は、制御部１１の制御下で動作し、画像再生装置１０の各部に電力を供給する。
【００３０】
〔Ｂ．画像再生装置の再生動作〕
以下、図３等を参照して、画像再生装置１０によるＤＶＤの再生動作即ち画像再生方法の一例について説明する。ユーザーがＤＶＤ再生部２０のＤＶＤ取込排出機構２０ｃに設けた挿入口からＤＶＤ２０ｄを挿入すると、画像再生装置１０の制御部１１は、ＤＶＤ２０ｄの再生を行うか否かを決定するために、まず、挿入されたＤＶＤ２０ｄを特定するための情報を取得する情報取得の動作をスタートさせる。
【００３１】
まず、図３のフローチャートに示すように、制御部１１は、ＤＶＤ再生部２０に挿入されたＤＶＤ２０ｄを特定する固有の情報である特定情報を取得する情報取得の処理を行う（ステップＳ１０）。次に、制御部１１のうち情報照合部となるＤＶＤ識別情報照合部１１ａは、許可情報記憶部となるＤＶＤ情報保存部１２ａのＤＶＤ識別情報記憶部１２ｂから許可情報に相当する再生許可リストのデータを読み出し（ステップＳ１１）、ＤＶＤ再生部２０に挿入されたＤＶＤ２０ｄの特定情報が、ＤＶＤ識別情報記憶部１２ｂの再生許可リストのデータ中に含まれているか否かを判断する（ステップＳ１２）。即ち、制御部１１は、再生許可リストをＤＶＤ２０ｄの再生を行うか否かを決定する判断基準となる識別情報として用いている。ステップＳ１２において、ＤＶＤ２０ｄの特定情報がＤＶＤ識別情報記憶部１２ｂの再生許可リストのデータ中に含まれていると判断されると（ステップＳ１２：Ｙｅｓ）、制御部１１は、挿入されたＤＶＤ２０ｄが既に再生許可の登録がされているものであると認識して、認証の処理を行うことなくＤＶＤ２０ｄの再生動作を開始させる（ステップＳ１６）。
【００３２】
一方、ステップＳ１２において、ＤＶＤ２０ｄの特定情報が許可情報記憶部となるＤＶＤ識別情報記憶部１２ｂの再生許可リストのデータ中に含まれているものではないと判断されると（ステップＳ１２：Ｎｏ）、制御部１１の認証処理部１１ｂは、挿入されたＤＶＤ２０ｄの追加登録を行うための認証処理を開始する。画像処理部１５は、制御部１１の認証処理部１１ｂの指示に応じて、記憶部１２の所定領域から適宜画像データを読み出し、図４（Ａ）に示すように、ＤＶＤ２０ｄが未登録のものである旨とパスワードを入力する旨とを映像投射部１７により表示させる（ステップＳ１３）。当該表示に応じて、ユーザーがキー操作部２８の記号入力ボタン２９ｆ等を用いてパスワードを図４（Ａ）に示す画面中の入力欄ＩＳに入力し、三角ボタン２９ａ〜２９ｄを用いて決定ボタンＤＢを選択して確定ボタン２９ｅを押すと、制御部１１のパスワード照合部１１ｃは、ＤＶＤ情報保存部１２ａのパスワード記憶部１２ｃからパスワードのデータを読み出し、当該パスワードとユーザーの入力したパスワード即ち入力情報とが一致するか否かを確認する（ステップＳ１４）。許可情報編集処理部となる制御部１１のＤＶＤ情報編集処理部１１ｄは、ステップＳ１４において両パスワードの一致を確認すると（ステップＳ１４：Ｙｅｓ）、ＤＶＤ２０ｄ中のデータから読み出したＤＶＤ２０ｄの特定情報を、ＤＶＤ識別情報記憶部１２ｂ中の所定領域内に許可情報即ち再生許可リストの一部として追加記憶する（ステップＳ１５）。また、これとともに、制御部１１は、図４（Ｂ）に示すように、ＤＶＤ２０ｄの特定情報が追加記憶された旨の表示動作の画像処理を画像処理部１５に行わせる。制御部１１は、図４（Ｂ）に示す表示画像を一定時間（例えば数秒）行った後、ＤＶＤ２０ｄに含まれる画像情報に基づく再生動作を開始する（ステップＳ１６）。また、図４（Ａ）において、ユーザーがパスワードを入力することなく終了ボタンＥＢを選択すると、制御部１１は、再生動作を終了する。
【００３３】
一方、ステップＳ１４において、両パスワードが一致しない場合、制御部１１は、図４（Ｃ）に示すようにパスワードが一致しなかった旨及び再度パスワードを入力するか終了ボタンＥＢを選択して再生動作を終了させるかを促す旨の表示動作を画像処理部１５に行わせる。再度のパスワード入力を数回（例えば３回）繰り返しても、ユーザーによる入力情報とパスワード記憶部１２ｃのパスワードとが一致しない場合には、制御部１１は、パスワードが一致不能であると判断し（ステップＳ１４：Ｎｏ）、再生禁止部となる制御部１１のＤＶＤ再生禁止部１１ｅは、強制的に画像処理部１５による画像再生処理を禁止させ、ＤＶＤ取込排出機構２０ｃにより、ＤＶＤ２０ｄを排出させるとともに、図４（Ｄ）に示すようにその旨を表示させる（ステップＳ１７）。なお、ステップＳ１７における画像処理部１５による画像再生処理の禁止については、例えば制御部１１がＤＶＤ再生部２０によるＤＶＤ２０ｄの読み取り動作を停止させることとしても同様に処理可能である。
【００３４】
図４（Ｂ）に示すように、追加記憶において再生許可リストに登録される内容を、ここでは、登録Ｎｏ．Ｅ１、識別番号Ｅ２及びタイトルＥ３としている。登録Ｎｏ．Ｅ１は、登録される順即ち時系列的に付される番号である。識別番号Ｅ２は、ＤＶＤのコンテンツを特定するための情報であり、各ＤＶＤのデータ中に個々に含まれているものである。許可情報編集処理部となるＤＶＤ情報編集処理部１１ｄは、当該情報を、ＤＶＤ２０ｄを特定する特定情報として既に読み出している。このＤＶＤ２０ｄの特定情報が識別番号Ｅ２として再生許可リストに追加登録され、許可情報に含まれるものとなる。当該追加登録後、再度ＤＶＤ２０ｄを画像再生装置１０に挿入した場合、情報照合部となる制御部１１のＤＶＤ識別情報照合部１１ａは、ＤＶＤ２０ｄの特定情報が再生許可リスト中に識別番号Ｅ２として含まれていると認識し、制御部１１は、認証の処理を行うことなく迅速にＤＶＤ２０ｄの再生動作を開始する。つまり、識別番号Ｅ２は、再生許可リストの中核の識別情報である。また、タイトルＥ３の情報取得については、例えば、ＤＶＤ２０ｄに含まれる情報のうちメニュー画面についての情報をキャプチャーし、必要な部分を適宜記憶保存するものとする。また、例えば、パソコン、インターネット等に接続されることで識別番号Ｅ２に基づいてタイトルＥ３の情報を得るものとしてもよい。なお、タイトルＥ３について照合するデータがない場合には、タイトルＥ３には「未タイトル」と表示される。ＤＶＤ識別情報記憶部１２ｂは、以上の再生許可リストを読出し及び書換えの可能なデータとして保管している。なお、タイトルＥ３は、手動動作によりその都度登録するものであってもよい。
【００３５】
以下、図５を参照して、画像再生装置１０の記憶部１２中の情報の管理について説明する。まず、情報の管理者が定められたＩＤやパスワードをキー操作部２８により入力すること等により、制御部１１のＤＶＤ識別情報照合部１１ａは、メニュー表示処理をスタートする（ステップＳ１）。つまり、管理者の操作に従って、画像再生装置１０は、管理者が設定・編集を行うための認証設定モードでの動作を開始し、図６（Ａ）に示す各種設定のためのメニューの表示の画像処理を画像処理部１５に行わせ、このメニュー画面を映像投射部１７により投射させる。図６（Ａ）では、一例として、管理者は、（１）再生制限の設定、（２）パスワードの設定・変更、（３）ＤＶＤ登録内容の編集を行うことができ、これらに対応する各選択ボタンＭ１〜Ｍ３を、キー操作部２８を操作して選択できるものとしている。
【００３６】
ステップＳ２において、（１）再生制限の設定の選択ボタンＭ１が選択されると（ステップＳ３）、制御部１１は、図６（Ｂ）に示すように、再生制限を行うか否かを設定するためのメニュー画面の画像処理を画像処理部１５に行わせ、このメニュー画面を映像投射部１７により投射させる。つまり、図６（Ｂ）の場合のように、ＤＶＤの再生を制限する「有り」の選択ボタンＭＡを選択している場合（白黒反転したものが選択中）には、画像再生装置１０の再生動作において、図３等により説明した登録のないＤＶＤについて再生するには認証を要する制限をかけるものとするモード設定となる。一方、図６（Ｂ）において、ＤＶＤの再生を制限しない「無し」の選択ボタンＭＢを選択している場合には、上述のような制限はかからず、ＤＶＤ再生部２０にどのようなＤＶＤが挿入されても無条件に再生動作がなされるものとするモード設定となる。
【００３７】
ステップＳ２において、（２）パスワードの設定・変更の選択ボタンＭ２が選択されると（ステップＳ４）、制御部１１は、図６（Ｃ）に示すように、画像処理部１５に旧パスワードを表示欄ＰＰに表示させるとともに、新規パスワードを受け付ける旨を表示させる画像処理を行わせる。管理者がキー操作部２８の記号入力ボタン２９ｆ等を用いて新規パスワードを入力欄ＩＳとパスワードの確認のための確認欄ＲＳとに入力し、決定ボタンＤＢを選択して確定ボタン２９ｅを押すと、制御部１１のＤＶＤ情報編集処理部１１ｄは、パスワードの書き換え処理を行う。つまり、ＤＶＤ情報保存部１２ａのパスワード記憶部１２ｃに記憶さていた旧パスワードを新規パスワードに書き換える。
【００３８】
ステップＳ２において、（３）ＤＶＤ登録内容の編集の設定の選択ボタンＭ３が選択される（ステップＳ５）と、制御部１１は、図６（Ｄ）に示すように、編集用の画面を表示させ、管理者からの入力信号に従って、図６（Ｅ）〜６（Ｈ）に例示するように、ＤＶＤ登録内容の追加、削除及び変更の処理がなされる。例えば図６（Ｄ）において、設定メニューの選択ボタンＭＸ，ＭＹのうち、「登録内容変更・削除」の選択ボタンＭＹが選択されると、図６（Ｅ）に示すように、登録されているＤＶＤの再生許可リストＬＳ１が一覧で表示され、例えば図６（Ｅ）において、リストＬＳ１から１つ又は複数の登録データを選択し（図中では登録Ｎｏ．２が選択されている）、選択ボタンＣＨ，ＤＬのうち「削除」させるための選択ボタンＤＬを選択した状態で決定すると、図６（Ｆ）に示すように、選択されたデータを表示するとともに当該データを削除するか否かの最終決定をする画面が表示される。なお、「変更」を行うための選択ボタンＣＨを選択した場合には、例えばリストＬＳ１中のタイトル等の変更が可能となる。また、例えば図６（Ｄ）において、設定メニューのうち「登録追加」の選択ボタンＭＸが選択されると、図６（Ｇ）に示すように追加するＤＶＤの特定情報である識別番号等について入力を行うための追加入力リストＬＳ２が画面に表示され、ユーザーが識別番号やタイトルを適宜入力すること等により、図６（Ｈ）に示すように、選択されたデータを表示するとともに当該データを追加するか否かの最終決定をする画面が表示される。なお、既述のように、再生許可リストＬＳ１のデータは、ＤＶＤ情報保存部１２ａのＤＶＤ識別情報記憶部１２ｂの所定領域に保管されており、上記編集操作に応じてその都度書き換えられる。
【００３９】
以上（１）〜（３）の動作は、管理者が図６（Ａ）の終了ボタンＥＢを選択することで設定モード終了の命令がなされるまで行われる（ステップＳ６）。
【００４０】
以上のように、本実施形態の画像再生装置１０によれば、制御部１１のＤＶＤ識別情報照合部１１ａにおいて、ＤＶＤ再生部２０に挿入されたＤＶＤ２０ｄの特定情報が許可情報に含まれていると判断された場合には、認証処理部１１ｂによる認証の処理を経ることなく画像処理部１５によって画像再生処理を行うことができるので、一旦許可されたＤＶＤの画像再生の際に認証処理を行う手間を簡易に省略できる。また、ＤＶＤ識別情報照合部１１ａにおいて、ＤＶＤ再生部２０に挿入されたＤＶＤ２０ｄの特定情報が許可情報に含まれていないと判断された場合には、認証処理部１１ｂにおいて認証処理を行い、認証がなされなければ再生禁止部であるＤＶＤ再生禁止部１１ｅによりＤＶＤ２０ｄについての画像再生を禁止する処理を行うので、再生できる画像情報に関して適正に制限をかけることができる。特に、本実施形態の場合、再生許可のためのパスワードの一致を確認すると、制御部１１の許可情報編集処理部であるＤＶＤ情報編集処理部１１ｄにより、自動的に再生を許可するＤＶＤの情報が追加登録されるので、情報を簡易に逐次蓄積して増やしていくことができ、以後の再生動作をより迅速なものとすることができる。
【００４１】
また、本実施形態の場合、再生許可のパスワードを知っている監督者（例えば一般の教員）は、新たなＤＶＤの登録のみが可能であるだけ即ち許可するＤＶＤを増やせるだけで、管理者権限を有する者によってのみ登録されたＤＶＤの内容の設定・編集が行えることになるため、より適切に情報が管理される。例えば、学校教材として画像再生装置１０を用いる場合、学校長等管理責任のある者のみが管理者権限を有することで、仮に学校教材として不適切なＤＶＤが登録されている場合には、管理者が直ちに登録データから削除することで、例えば生徒等の一般ユーザーが無条件に再生できるＤＶＤの許容範囲を適正に保つことができる。また、管理者がパスワードを定期的に変更することで、一般ユーザーである生徒には再生許可のパスワードを知られることなく監督者（一般の教員）のみが再生許可のパスワードを知っているという状態が保たれる。
【００４２】
以下、画像再生装置１０によるＤＶＤの再生動作の変形例について説明する。図７は、本変形例について説明するためのフローチャートである。なお、本変形例の画像再生装置は、図１等に示す画像再生装置１０と同様である。
【００４３】
本変形例の場合においても、図３で説明した場合と同様に、まず、制御部１１は、ＤＶＤ２０ｄの情報取得を行い、ＤＶＤ識別情報記憶部１２ｂから読み出した再生許可リストのデータと照合する（ステップＳ１１０〜Ｓ１１２）。ステップＳ１１２において、ＤＶＤ２０ｄの情報が既に再生許可されているものと判断すると、認証処理を行うことなくＤＶＤ２０ｄの再生動作を開始し（ステップＳ１１６）、再生許可されていないと判断すると、認証処理を行わせる指示を画像処理部１５に送信し、画像処理部１５は、パスワードを入力させるための認証画面を映像投射部１７により表示させる（ステップＳ１１３）。当該表示に応じてユーザーがパスワードを入力すると、制御部１１は、パスワード記憶部１２ｃのパスワードとユーザーの入力したパスワードとが一致するか否かを確認する（ステップＳ１１４）。
【００４４】
次に、制御部１１は、ステップＳ１１４において両パスワードの一致を確認すると（ステップＳ１１４：Ｙｅｓ）、ＤＶＤ２０ｄ中のデータからＤＶＤ２０ｄを特定する特定情報を読み出すとともに、図８（Ａ）に示すように、読み出したＤＶＤ２０ｄの特定情報を許可情報の一部として追加登録するか否かをユーザーに決定させるための表示動作の画像処理を画像処理部１５に行わせる（ステップＳ２０）。ステップＳ２０において、図８（Ａ）に例示するように、ユーザーからの指示としてキー操作部２８からの入力指示により追加登録する旨の選択ボタンＤ１が押された場合（ステップＳ２０：Ｙｅｓ）、制御部１１のＤＶＤ情報編集処理部１１ｄは、ＤＶＤ識別情報記憶部１２ｂ中の所定領域内に許可情報即ち再生許可リストの一部として追加記憶し（ステップＳ１１５）、制御部１１は、図８（Ｂ）に示すように、追加された新たなデータについての表示動作の画像処理を画像処理部１５に行わせる。図８（Ｂ）に示す表示画像を一定時間（例えば数秒）行った後、ＤＶＤ２０ｄに含まれる画像情報に基づく再生動作を開始する（ステップＳ１１６）。一方、図８（Ｃ）に示すように、ユーザーからの指示であるキー操作部２８からの入力指示により追加登録しない旨の選択ボタンＤ２を選択する決定がなされた場合（ステップＳ２０：Ｎｏ）、制御部１１は、ＤＶＤ識別情報記憶部１２ｂにＤＶＤ２０ｄについての情報を再生許可リストに追加登録することなく、図８（Ｄ）に示すように、ＤＶＤ２０ｄの情報を追加登録しなかった旨の表示動作を一定時間（例えば数秒）行う画像処理を画像処理部１５に行わせた後、ＤＶＤ２０ｄに含まれる画像情報に基づく再生動作を開始する（ステップＳ１１６）。なお、ステップＳ１１４において、数回（例えば３回）両パスワードが一致しない場合、制御部１１は、パスワードが一致不能であると判断し（ステップＳ１１４：Ｎｏ）、強制的に画像処理部１５による画像再生処理を禁止させる処理を行う（ステップＳ１１７）。
【００４５】
以上のように、本変形例では、ステップＳ２０において追加登録する決定をした場合にのみ以後のＤＶＤ２０ｄの再生において認証処理が不要となり、追加登録されなければ、そのときのＤＶＤ２０ｄの再生のみを許可し、以後、ＤＶＤ２０ｄの再生を別の機会に行うには、再度の認証処理が必要となる。本変形例の場合も、一旦許可されたＤＶＤの画像再生の際に認証処理を行う手間を簡易に省略でき、かつ、再生できる画像情報に関して適正に制限をかけることができるものとなっている。
【００４６】
〔第２実施形態〕
以下、図９等を参照して、本発明の第２実施形態に係る画像再生装置について説明する。なお、本実施形態に係る画像再生装置は、図１等に示す第１実施形態の画像再生装置１０の制御に関する変形例であり、特に説明のないものは第１実施形態と同様である。
【００４７】
以下、本実施形態に係る画像再生装置によるＤＶＤの再生動作について説明する。図９のフローチャートに示すように、本実施形態の場合においても、第１実施形態の図３で説明した場合と同様に、まず、制御部１１は、ＤＶＤ２０ｄの情報取得及びＤＶＤ２０ｄが再生許可されているものの判定を行い（ステップＳ２１０〜Ｓ２１２）、再生許可されていればＤＶＤ２０ｄの再生動作を開始し（ステップＳ２１６）、再生許可されていなければ、認証処理を行う（ステップＳ２１３ａ）。ここで、本実施形態では、図１０（Ａ）に示すように、制御部１１は、ステップＳ１３ａでのパスワードの入力とともに、ＤＶＤ２０ｄの分類等を行うための付加情報をユーザーに入力させるための表示を画像処理部１５を介して映像投射部１７に行わせる（ステップＳ１３ｂ）。つまり、ステップＳ１３ａでの認証処理表示において、ユーザーは、キー操作部２８を操作して、認証のためのパスワードを入力欄ＩＳに入力するのに加えて、付加情報入力欄ＡＩに付加情報を入力する。ここでは、一例として、画像再生装置１０を学校教材として用いるものとし、付加情報としてＤＶＤ２０ｄを使用する学年を入力するものとする。キー操作部２８による記号入力で、入力欄ＩＳにパスワードが入力され（ステップＳ１３ａ）、さらに、付加情報入力欄ＡＩに付加情報の入力即ち学年を示す数字が入力される（ステップＳ１３ｂ）と、制御部１１は、まず、パスワード記憶部１２ｃのパスワードとユーザーによって入力されたパスワードとが一致するかを確認する（ステップＳ２１４）。両パスワードの一致を確認すると（ステップＳ２１４：Ｙｅｓ）、制御部１１のＤＶＤ情報編集処理部１１ｄは、ＤＶＤ２０ｄの特定情報に上記付加情報を付加した状態でＤＶＤ識別情報記憶部１２ｂ中の所定領域内に許可情報即ち再生許可リストの一部として追加記憶し（ステップＳ３０）、制御部１１は、図１０（Ｂ）に示すように、追加された新たなデータについての表示動作の画像処理を画像処理部１５に行わせる。図１０（Ｂ）に示す表示画像を一定時間（例えば数秒）行った後、ＤＶＤ２０ｄに含まれる画像情報に基づく再生動作を開始する（ステップＳ２１６）。一方、ステップＳ２１４において、数回（例えば３回）両パスワードが一致しない場合、制御部１１は、パスワードが一致不能であると判断し（ステップＳ２１４：Ｎｏ）、強制的に画像処理部１５による画像再生処理を禁止させる処理を行う（ステップＳ２１７）。
【００４８】
以上のように、本実施形態の場合も、一旦許可されたＤＶＤの画像再生の際に認証処理を行う手間を簡易に省略でき、かつ、再生できる画像情報に関して適正に制限をかけることができるものとなっている。また、特に、本実施形態の場合、追加登録において登録される内容ついて、ＤＶＤ２０ｄを特定する識別番号等に加え、ＤＶＤ２０ｄを使用する対象学年についての情報を付加することで、登録されている即ち再生許可されているＤＶＤの独自の分類ができる。この場合、図１１（Ａ）及び１１（Ｂ）に示すように、学年ごとにＤＶＤの登録内容を管理することができる。つまり、ある学年（図１１（Ａ）では３年）のＤＶＤの登録内容のみを編集可能な管理者用ＩＤ・パスワードを各学年について設けることで、登録されているＤＶＤのリストを学年別に管理することができる。つまり、各学年（例えば３年）の管理者（例えば学年主任）は、定められた該当学年管理者用ＩＤをキー操作部２８により入力すること等により、ＤＶＤリストの設定・編集を行うための認証設定モードでの動作を開始させ、例えば図１１（Ａ）に示すリスト中の１つ又は複数を選択して、図１１（Ｂ）に示すようにリストから削除したり、新たに追加したりすることができる。
【００４９】
〔第３実施形態〕
以下、図１２（Ａ）等を参照して、本発明の第３実施形態に係る画像再生装置について説明する。なお、本実施形態に係る画像再生装置は、図１等に示す第１実施形態の画像再生装置１０の制御に関する変形例であり、特に説明のないものは第１及び第２実施形態と同様である。
【００５０】
本実施形態では、挿入されたＤＶＤ２０ｄ（図１参照）が未登録であり、認証確認の処理を行う場合に、例えば図１２（Ａ）に示すように、特別監督者（例えば校長等）による追加登録を通常の一般監督者（例えば一般教員）による追加登録とは別に設けている。特別監督者による追加登録の場合、図１２（Ａ）及び１２（Ｂ）に示すように、パスワード入力の際に併せて入力させる付加情報として、学年の情報のほかに、ＤＶＤ２０ｄの使用できる範囲即ち生徒・一般教員全てが使用可能である（利用者制限無し）か、特定の者のみが使用可能である（利用者制限有り）かの情報も付加させている。また、この場合、一般ユーザーである生徒は、図１２（Ｃ）に一般用の再生許可リストＬＳａとして示す利用者制限の無い範囲についてのみ鑑賞可能であり、この範囲が学校の授業において教材として使用できる範囲となる。一般教員は、一般監督者として、一般ユーザーを対象とする再生許可リストＬＳａに対してのみＤＶＤ再生許可の追加登録ができる。これに対して、学校長等は、特別監督者として、図１２（Ｄ）に制限付再生許可リストＬＳｂとして示すように、一般ユーザーの使用範囲に加え、利用者制限の有る範囲（例えば図中整理Ｎｏ．４）についても鑑賞可能となっている。なお、これらのリストＬＳａ，ＬＳｂのデータは、ＤＶＤ情報保存部１２ａのＤＶＤ識別情報記憶部１２ｂの所定領域に保管されている。また、特別監督者は、管理者（特定管理者）として、認証設定モードにおいて、リストＬＳａを含むリストＬＳｂの編集できる。従って、例えば特別監督者は、一般監督者によって追加登録されたリストＬＳａ中の情報について監視修正を行うことができる。
【００５１】
以下、図１３及び図１４に示すフローチャート等により、本実施形態に係る画像再生装置の再生動作について説明する。まず、制御部１１は、ＤＶＤ再生部２０に挿入されたＤＶＤ２０ｄの個別情報を取得する情報取得を行う（ステップＳ３１０）。次に、制御部１１のうちＤＶＤ識別情報照合部１１ａは、ＤＶＤ情報保存部１２ａのＤＶＤ識別情報記憶部１２ｂからリストＬＳａ，ＬＳｂ（図１２（Ｃ）、１２（Ｄ）参照）を読み出し（ステップＳ３１１）、ＤＶＤ再生部２０に挿入されたＤＶＤ２０ｄの情報が、ＤＶＤ識別情報記憶部１２ｂのデータのうち一般用の再生許可リストＬＳａ中に含まれているかを判断する（ステップＳ４１）。ステップＳ４１において、ＤＶＤ２０ｄの情報がＤＶＤ識別情報記憶部１２ｂの一般用の再生許可リストＬＳａ中に含まれていると判断されると（ステップＳ４１：Ｙｅｓ）、制御部１１は、挿入されたＤＶＤ２０ｄが既に一般ユーザー用に再生許可の登録がされているものであるとして、認証処理を行うことなくＤＶＤ２０ｄの再生動作を開始させる（ステップＳ３１６）。
【００５２】
一方、ステップＳ４１において、ＤＶＤ２０ｄの情報が一般用の再生許可リストＬＳａ中に含まれているものではないと判断されると（ステップＳ４１：Ｎｏ）、ＤＶＤ識別情報照合部１１ａは、ＤＶＤ識別情報記憶部１２ｂのデータのうち制限付再生許可リストＬＳｂ中に含まれているかを判断する（ステップＳ４２）。即ち、一般ユーザー用ではないが特別ユーザー（特別監督者）用であるか否かを判断する。
【００５３】
ステップＳ４２において、ＤＶＤ２０ｄの情報がＤＶＤ識別情報記憶部１２ｂの制限付再生許可リストＬＳｂ中にも含まれていないと判断されると（ステップＳ４２：Ｎｏ）、制御部１１は、認証処理を行うための前段の処理として、図１２（Ｅ）に示すように、監督者が特別監督者であるか一般監督者であるかを特定するための表示動作を画像処理部１５に行わせる（ステップＳ４６）。
【００５４】
ステップＳ４６での表示に応じて、ユーザーがキー操作部２８を操作し、このキー操作部２８の操作により一般監督者用ボタンＧＢが選択され、ユーザーが一般監督者であると判断されると（ステップＳ４６：Ｎｏ）、制御部１１の認証処理部１１ｂは、挿入されたＤＶＤ２０ｄを一般監督者即ち一般教員を対象とするものであると判断して、これに応じた追加登録を行うための認証処理を行わせる指示を画像処理部１５に送信する（ステップＳ４７ａ，Ｓ４７ｂ）。画像処理部１５は、ステップＳ４７ａ，Ｓ４７ｂでの指示に応じて、通常のパスワード及び付加情報を入力する旨を映像投射部１７により表示させる（図１０（Ａ）参照）。当該表示に応じて、ユーザーがキー操作部２８の記号入力ボタン２９ｆ等を用いてパスワード及び付加情報である学年を示す数字を入力欄ＩＳ及び付加情報入力欄ＡＩにそれぞれ入力し、決定ボタンＤＢを選択して確定ボタン２９ｅを押すと、制御部１１のパスワード照合部１１ｃは、パスワードが一致するかを確認する（ステップＳ３１４）。制御部１１のＤＶＤ情報編集処理部１１ｄは、ステップＳ３１４において両パスワードの一致を確認すると（ステップＳ３１４：Ｙｅｓ）、ＤＶＤ２０ｄ中のデータからＤＶＤ２０ｄを特定する特定情報を読み出し、ＤＶＤ識別情報記憶部１２ｂ中の所定領域内に許可情報の一部として追加記憶する（ステップＳ４８）。なお、この場合、ステップＳ４８での追加記憶において、使用制限の有無については、自動的に利用者制限無しで登録される。また、ステップＳ４８での追加記憶とともに、制御部１１は、ＤＶＤ２０ｄの情報が追加記憶された旨の表示動作を一定時間（例えば数秒）画像処理部１５に行わせ（図１０（Ｂ）参照）、ＤＶＤ２０ｄの再生動作を開始させる（ステップＳ３１６）。
【００５５】
一方、ステップＳ４６において、キー操作部２８の操作により特別監督者用ボタンＳＢが選択され、ユーザーが特別監督者であると判断されると（ステップＳ４６：Ｙｅｓ）、制御部１１の認証処理部１１ｂは、挿入されたＤＶＤ２０ｄを特別ユーザー（特別監督者）向け即ち特定の者用のＤＶＤであると判断して、これに応じた追加登録を行うための認証処理を行わせる指示を画像処理部１５に送信する（ステップＳ５０ａ，Ｓ５０ｂ）。画像処理部１５は、ステップＳ５０ａ，Ｓ５０ｂでの指示に応じて、図１２（Ａ）に示すように、特別パスワード及び特別付加情報を入力する旨を映像投射部１７により表示させる。当該表示に応じて、ユーザーがキー操作部２８の記号入力ボタン２９ｆ等を用いて特別パスワードを図１２（Ａ）に示す画面中の入力欄ＩＳに入力し、付加情報入力欄ＡＩに学年の情報を入力し、選択ボタンＵＣ，ＣＬを選択し、決定ボタンＤＢを選択して確定ボタン２９ｅを押すと、制御部１１のパスワード照合部１１ｃは、ＤＶＤ情報保存部１２ａのパスワード記憶部１２ｃから特別パスワードのデータを読み出し、当該特別パスワードとユーザーの入力したパスワードとが一致するかを確認する（ステップＳ５１）。制御部１１のＤＶＤ情報編集処理部１１ｄは、ステップＳ５１において両パスワードの一致を確認すると（ステップＳ５１：Ｙｅｓ）、ＤＶＤ２０ｄ中のデータからＤＶＤ２０ｄを特定する特定情報を読み出し、ＤＶＤ識別情報記憶部１２ｂ中の所定領域内に許可情報の一部として追加記憶する（ステップＳ５２）。この場合、ステップＳ５２での追加記憶においては、学年の情報のみならず、使用制限の有無についても区別されて記憶される。つまり、利用者制限無しで登録された場合には、図１２（Ｃ）及び１２（Ｄ）の双方のリストＬＳａ，ＬＳｂ上に掲載されるものとなる。一方、利用者制限有りで登録された場合には、図１２（Ｄ）にリストＬＳｂ上にのみ掲載されるものとなる。また、ステップＳ５２での追加記憶とともに、制御部１１は、図１２（Ｂ）に示すようにＤＶＤ２０ｄの情報が追加記憶された旨の表示動作の画像処理を画像処理部１５に行わせる。制御部１１は、図１２（Ｂ）に示す表示画像を一定時間（例えば数秒）行う。図１２（Ｂ）に示す画面を表示した後、ＤＶＤ２０ｄに含まれる画像情報に基づく再生動作を開始する（ステップＳ３１６）。なお、ステップＳ５１において、両パスワードが一致不能であると判断した場合（ステップＳ５１：Ｎｏ）、制御部１１のＤＶＤ再生禁止部１１ｅは、強制的に画像処理部１５による画像再生処理を禁止させ、ＤＶＤ取込排出機構２０ｃにより、ＤＶＤ２０ｄを排出させる（ステップＳ３１７）。
【００５６】
ステップＳ４２において、ＤＶＤ２０ｄの情報がＤＶＤ識別情報記憶部１２ｂの制限付再生許可リストＬＳｂ中に含まれているものである（一般用の再生許可リストＬＳａ中には含まれていない）と判断された場合（ステップＳ４２：Ｙｅｓ）、制御部１１は、図１２（Ｆ）に示すように、特別パスワードを入力する旨の表示動作を画像処理部１５に行わせる（図１４、ステップＳ６０）。当該表示に応じて、ユーザーがキー操作部２８の記号入力ボタン２９ｆを用いて特別パスワードを入力し、確定ボタン２９ｅを押すと、制御部１１のパスワード照合部１１ｃは、ＤＶＤ情報保存部１２ａのパスワード記憶部１２ｃから特別パスワードのデータを読み出し、当該特別パスワードとユーザーの入力したパスワードとが一致するかを確認する（ステップＳ６１）。制御部１１は、ステップＳ６１において両パスワードの一致を確認すると（ステップＳ６１：Ｙｅｓ）、ＤＶＤ２０ｄの再生動作を開始する（ステップＳ６２）。一方、ステップＳ６１において、特別パスワードとユーザーの入力した入力情報とが一致しないと判断した場合（ステップＳ６１：Ｎｏ）、制御部１１のＤＶＤ再生禁止部１１ｅは、強制的に画像処理部１５による画像再生処理を禁止させ、ＤＶＤ取込排出機構２０ｃにより、ＤＶＤ２０ｄを排出させる（ステップＳ６３）。
【００５７】
また、上記において、特別監督者は、管理者（特定管理者）として、特定管理者用ＩＤ・パスワードを設けることで、第１実施形態において図５及び６（Ａ）〜６（Ｈ）において示した場合と同様に、認証設定モードで各種の設定・編集を行うことができる。特に、本実施形態では、図５のステップＳ５の処理に相当する処理においてさらに詳細な編集ができる。より具体的には、例えば図１５（Ａ）〜１５（Ｄ）に示すように、特定管理者は、リストＬＳ中から１つ又は複数の登録データを選択して（図１５（Ａ）参照）登録内容を変更する際に、ユーザーの使用範囲を変更すること即ち図１５（Ａ）に示すリストＬＳｂ中の利用者制限の有無の項目について変更することができる（図１５（Ｂ）及び１５（Ｃ）参照）。つまり、図示のように、例えばリストＬＳｂ中利用者制限無しであったものを制限有りに設定変更し、一般ユーザーに無制限に再生させないようにすることができる。なお、第１実施形態の場合と同様に、図１５（Ｄ）に示すように、リストＬＳｂから削除することで無制限な再生ができないようにすることも可能である。
【００５８】
以上のように、本実施形態の場合においても、他の実施形態と同様に、一般向けとして一旦許可されたＤＶＤの画像再生の際に認証処理を行う手間を簡易に省略でき、かつ、再生できる画像情報に関して適正に制限をかけることができるものとなっている。また、特に、本実施形態の場合、一般向けとしてではなく制限付きで許可されたＤＶＤについては、特別パスワードを有するものでない限り再生できないものとなっている。これにより、制限付きのＤＶＤが濫りに再生されてしまうことを防止できる。
【００５９】
〔その他、変形例等〕
以上実施形態に即して本発明を説明したが、本発明は、上記の実施形態に限られるものではなく、その要旨を逸脱しない範囲において種々の態様において実施することが可能であり、例えば次のような変形も可能である。
【００６０】
上記実施形態では、例えばパスワードを入力する旨の認証画面等をいずれも映像投射部１７により表示させるものとしているが、表示方法はこれに限らず、例えばキー入力処理部１３にＵＩとしてのディスプレイを付随させ、当該ディスプレイ上に表示を行うものとしてもよい。
【００６１】
また、上記実施形態では、パスワードにより認証確認を行っているが、認証確認の方法は、種々のものが適用でき、例えば生体認証等による認証確認も可能である。
【００６２】
また、上記実施形態では、記録媒体（画像記録媒体）としてＤＶＤを用いているが、記録媒体は、これに限らず、ブルーレイディスクやフラッシュメモリー、ＳＤメモリーカード等種々のメディアが適用可能である。メモリーカード等をＤＶＤに換えて使用する場合は、ＤＶＤ取込排出機構に換えてメモリーカード等の抜差しをソケット等による差込方式とすることができる。
【００６３】
また、上記実施形態では、再生許可リスト中の各ＤＶＤの情報としてタイトルＥ３を付すものとしているが、ＤＶＤ識別情報記憶部１２ｂに記憶されるリストのデータとしてタイトルＥ３を含まない構成としてもよい。上記実施形態では、ＤＶＤの照合に識別番号Ｅ２を用いているため、タイトルＥ３を含まない場合であってもデータの照合等の動作が可能である。
【００６４】
また、上記第２及び第３実施形態では、学年や使用範囲の制限の情報を付加情報としているが、付加情報はこれに限らず用途に応じて種々の情報を付加してもよい。
【００６５】
また、上記実施形態の画像再生装置は、孤立したスタンドアローン型のものであってもよいが、例えば図１６に示すように示すように、一の画像再生装置１０Ａと他の画像再生装置１０Ｂとの間で通信部１８Ａ，１８Ｂ等の適当な通信手段を介して例えば無線ＬＡＮのアドホックモードによる通信によって情報を送受信することで、記憶部１２Ａ，１２Ｂ内のデータを共有するものとしてもよい。
【００６６】
また、画像再生装置１０に挿入されたＤＶＤの最初の情報取得の動作において、当ＤＶＤ中に含まれる特定情報として、識別番号のほかに、ＤＶＤの分野等を特定する種々のデータ等がある場合には、これらの情報を併せて読み取ってもよい。また、Ｒ指定があることを示す情報が含まれている場合にはパスワードの照合に関係なく登録を禁止するものとしてもよい。逆に、児童学習向けの分野であることを示す情報が含まれている場合にはパスワードの照合に関係なく登録を許可するものとしてもよい。なお、読み取った種々のデータからＤＶＤを分野ごとに分類してもよい。
【符号の説明】
【００６７】
１０…画像再生装置、  １１…制御部、  １１ａ…ＤＶＤ識別情報照合部、  １１ｂ…認証処理部、  １１ｃ…パスワード照合部、  １１ｄ…ＤＶＤ情報編集処理部、  １１ｅ…ＤＶＤ再生禁止部、  １２…記憶部、  １２ａ…ＤＶＤ情報保存部、  １２ｂ…ＤＶＤ識別情報記憶部、  １２ｃ…パスワード記憶部、  １３…キー入力処理部、  １４…入力選択部、  １５…画像処理部、  １７…映像投射部、  １７ａ…液晶パネル駆動部、  １８…通信部、  １９…映像出力部、  ２０…ＤＶＤ再生部、  ２０ａ…データ読取部、  ２０ｂ…信号処理部、  ２０ｃ…ＤＶＤ取込排出機構、  ２０ｄ…画像記録媒体ＤＶＤ、  ２１…音声出力部、  ２２…電源部、２５…リモコン受光部、  ２６…リモコン、  ２８…キー操作部、  ２８ａ，２８ｂ，２８ｃ，２９ａ，２９ｂ，２９ｃ，２９ｄ，２９ｅ，２９ｆ…ボタン
【図１】
2011159372.tif 000003
【図２】
2011159372.tif 000004
【図３】
2011159372.tif 000005
【図４】
2011159372.tif 000006
【図５】
2011159372.tif 000007
【図６】
2011159372.tif 000008
【図７】
2011159372.tif 000009
【図８】
2011159372.tif 000010
【図９】
2011159372.tif 000011
【図１０】
2011159372.tif 000012
【図１１】
2011159372.tif 000013
【図１２】
2011159372.tif 000014
【図１３】
2011159372.tif 000015
【図１４】
2011159372.tif 000016
【図１５】
2011159372.tif 000017
【図１６】
2011159372.tif 000018